(57)【要約】【課題】投射型画像表示装置の光源の放電距離に応じた光源駆動装置の冷却ができなかった。【解決手段】光源部と、光源部を駆動する光源駆動部と、光源部及びまたは光源駆動部を冷却する冷却部と、光源部に印加される電流及びまたは電圧を取得する光源情報取得部と、光源情報取得部の情報から冷却部の冷却の設定を行う冷却設定部を備えていることを特徴とする投射型画像表示装置。【選択図】図１
2016048328.tif 000002
【特許請求の範囲】
【請求項１】
光源部と、
光源部を駆動する光源駆動部と、
光源部及びまたは光源駆動部を冷却する冷却部と、
光源部に印加される電流及びまたは電圧を取得する光源情報取得部と、
光源情報取得部の情報から冷却部の冷却の設定を行う冷却設定部、
を備えていることを特徴とする投射型画像表示装置。
【請求項２】
光源駆動部の出力電力を任意の値に設定できる光源駆動部出力電力設定部と、
冷却設定部が光源駆動部の出力電力の設定値と光源情報取得部の情報から冷却部の冷却の設定を行うことを特徴とする請求項１に記載の投射型画像表示装置。
【発明の詳細な説明】
【技術分野】
【０００１】
本発明は、投射型画像表示装置において、特に光源及び光源駆動部周辺の冷却制御に関する。
【背景技術】
【０００２】
従来から投射型画像表示装置は、会議におけるプレゼンテーションや映画の鑑賞など多岐にわたる用途で使用されている。投射型画像表示装置では光源として主に高圧水銀灯などの高圧放電灯を使用しており、これは点灯時に非常に高温になる特性をもっている。よって、投射型画像表示装置の光源は点灯時などに冷却を行うことが一般的である。
【０００３】
この光源に使用されている高圧放電灯は電極間の放電距離に個体差を有しており常に一定ではない。また、この高圧放電灯は一般的に使用時間や制御方式等によって電極間の放電距離が変化する特性を有している。高圧放電灯は電極間の放電距離が変化すると電極に印加する電流及びまたは電圧が変化し、これに伴い発熱の特性が変化する特性を持っている。これより、高圧放電灯は電極間の放電距離によって自身の発熱の度合いが変化する問題があった。
【０００４】
従来技術では、光源の電極間の放電距離に関係なく光源の発熱が最大の時に合わせた冷却を行っているため、光源の発熱が低い時に冷却を行っている場合は消費電力や騒音が無駄に大きくなってしまっていた。
【０００５】
上記を鑑み、特許文献１のように、投射型画像表示装置の光源の電気特性値を検出してそれより光源の冷却の設定を行う手段が開示されている。
【先行技術文献】
【特許文献】
【０００６】
【特許文献１】特開2003-322912号公報
【発明の概要】
【発明が解決しようとする課題】
【０００７】
しかしながら、上述の特許文献１に開示された従来技術では以下の問題があった。特許文献１では、光源の冷却のみしか対応しておらず、光源駆動部については考慮されていない。光源駆動部は一般的に光源を一定の電力で駆動していることから、光源の電極間の放電距離に変化が生じると光源に印加する電圧及び電流が変化してしまう。これより、光源駆動部は光源に印加する電圧及び電流の増減によって光源駆動部自体の発熱量が変化する特性を有しているので、光源の電極間の放電距離に応じた冷却が必要となる。
【０００８】
そこで、本発明の目的は、光源の電極間の放電距離に応じた光源と光源駆動部の冷却の設定を行うことの可能な投射型画像表示装置を提供することにある。
【課題を解決するための手段】
【０００９】
上記目的を達成するために、本発明の投射型画像表示装置は、光源部と、光源部を駆動する光源駆動部と、光源部及びまたは光源駆動部を冷却する冷却部と、光源部に印加される電流及びまたは電圧を取得する光源情報取得部と、光源情報取得部の情報から冷却部の冷却の設定を行う冷却設定部を備えていることを特徴とする。
【発明の効果】
【００１０】
本発明によれば、投射型画像表示装置の光源の電極間の放電距離に対応した光源と光源駆動部の冷却を行うことができる。また、冷却の最適化により冷却部の消費電力や騒音を最小限に抑えることが可能である。
【図面の簡単な説明】
【００１１】
【図１】プロジェクタの構成図
【図２】プロジェクタの冷却設定フロー
【発明を実施するための形態】
【００１２】
以下に、本発明の好ましい実施の形態を、添付の図面に基づいて詳細に説明する。
【００１３】
［実施例１］
以下、図１を参照して、本発明の第１の実施例について説明する。図１は、本発明の一実施例に係るプロジェクタ（投射型画像表示装置）の構成を示している。図１のプロジェクタは、光源部1と、光源部1の光によって画像を形成する画像形成部2と、光源部1を駆動する光源駆動部3と、光源部1及び光源駆動部3を冷却する冷却部4と、光源部1に印加される電圧を取得する光源情報取得部5と、光源駆動部3の出力電力を任意の値に設定できる光源駆動部出力電力設定部6と、光源情報取得部5の情報と光源駆動部出力電力設定部6の設定値から冷却部4の冷却の設定を行う冷却設定部7と、各部の制御を行う制御部8と、各部の電源の供給を行う電源部9と、ユーザがプロジェクタの各種操作指示を行うための操作部10、を備えている。
【００１４】
このプロジェクタ2の冷却の設定フローを図２に示す。図２において、始めにステップ101では、制御部8がユーザからの光源点灯指令を受ける。ステップ102では、制御部8は冷却部4の起動を行う。この時は光源点灯前なので、光源点灯前に応じた冷却の設定で冷却部4を駆動させる。ステップ103では、光源の出力電力を設定する。本実施例では前回点灯時の光源の出力電力を光源駆動部出力電力設定部6に設定する。ステップ104、105では、制御部8が光源駆動部3を起動させ光源を点灯させる。ステップ106では、光源点灯後、光源の出力が安定するまで所定時間待つ。
【００１５】
ステップ107では、制御部8はユーザから光源消灯指示がされたかを確認する。光源消灯指示がされた場合はステップ111へ移行し、光源消灯指示がされていない場合はステップ108へ移行する。ステップ108では、制御部8は光源情報取得部5より光源の印加電圧値を取得する。ステップ109では、制御部8はユーザが光源の出力電力の設定値を変更したか否かを確認する。変更された場合は光源駆動部出力電力設定部6の設定値を変更された値に設定し、変更されていない場合は前回の値を保持する。
【００１６】
ステップ110では、光源情報取得部5より取得した光源の印加電圧値と、光源駆動部出力電力設定部6に設定された光源の出力電力から、冷却設定部7が光源と光源駆動部の冷却を設定し、冷却部4は設定値に応じた冷却を行う。この冷却の設定は光源の印加電圧値が低くなるほど冷却設定を強め、光源の印加電圧値が高くなるほど冷却設定を弱めるようにする。冷却の設定終了後はステップ107へ移行する。ステップ111では、光源消灯時の処理を行い終了する。
【００１７】
本実施例では、冷却部4の冷却設定のパラメータに光源の印加電圧値を使用したが、これは光源の印加電流値または両方を冷却部4の冷却設定のパラメータに使用しても構わない。
【００１８】
以上、本発明の好ましい実施形態について説明したが、本発明はこれらの実施形態に限定されず、その要旨の範囲内で種々の変形及び変更が可能である。
【符号の説明】
【００１９】
１  光源部、２  画像形成部、３  光源駆動部、４  冷却部、５  光源情報取得部、
６  光源駆動部出力電力設定部、７  冷却設定部、８  制御部、９  電源部、
１０  操作部
【図１】
2016048328.tif 000003
【図２】
2016048328.tif 000004